(57)【要約】【課題】遊技機の前面枠の構造を簡素化しつつ十分な不正防止と強度を確保でき、しかもデザイン変更を安価に行なえる遊技機を提供する。【解決手段】ベース枠体７の窓板部６前面側に当該ベース枠体７の幅外形と同等の幅外形を有する矩形状のガラス板８が固着されている。【選択図】図１
2008154926.tif 000002
【特許請求の範囲】
【請求項１】
遊技盤を支持する内枠の前面を覆う前面枠がヒンジ機構によって開閉可能に設けられた遊技機であって、
前記前面枠は、遊技盤前面側を覆う板部を有する透光性のベース枠体と、
前記ベース枠体に脱着可能に取り付けられ、遊技盤領域を視認できるように窓枠を構成する前側装飾体を備え、
前記ベース枠体の板部前面側に当該ベース枠体の幅外形と同等の幅外形を有する矩形状のガラス板が固着されている遊技機。
【請求項２】
前記前側装飾体の下端側には、前記ベース枠体に一体的に受け皿ユニットが備えられており、前記前側装飾体と前記受け皿ユニットとの隙間を塞ぐように前記ガラス板がベース枠体に固着されている請求項１記載の遊技機。
【請求項３】
前記窓枠の一部を、前記受け皿ユニットで構成している請求項２記載の遊技機。
【請求項４】
前記ベース枠体には前面枠と内枠との隙間を覆う壁部が一体に形成されている請求項１乃至請求項３のいずれかに記載の遊技機。
【請求項５】
前記前面枠と内枠を施錠する施錠装置の鍵穴がガラス板の上縁部より上方に設けられている請求項１乃至請求項４のいずれかに記載の遊技機。
【請求項６】
前記ベース枠体には遊技盤に突き当てて遊技領域を決める壁部と発射装置より発射された遊技球を遊技領域へ導くレール部が一体に形成されている請求項１乃至請求項５のいずれかに記載の遊技機。
【請求項７】
前記ベース枠体には、当該ベース枠体及びガラス板を透過して前方へ向けて光照射し、又はベース枠体の板部に沿って光照射する発光基板が設けられている請求項１乃至請求項６のいずれかに記載の遊技機。
【請求項８】
前記ベース枠体には、スピーカが設けられている請求項１乃至請求項７のいずれかに記載の遊技機。
【発明の詳細な説明】
【技術分野】
【０００１】
本発明は、遊技盤を支持する内枠の前面に前面枠がヒンジ部を中心に開閉可能に設けられた遊技機に関する。
【背景技術】
【０００２】
例えば、ぱちんこ遊技機は、遊技機の外形をなす矩形状の外枠に対して内枠及び前面枠が、当該遊技機を正面視して左側の縦枠部の上下に設けられたヒンジを中心に開閉可能に設けられている。
【０００３】
内枠の前面側には液晶画面を備えた可変表示装置や入賞口、釘などが設けられた遊技盤や該遊技盤に向かって遊技球を発射する発射装置などが設けられている。また、前面枠には遊技領域を視認する窓やその周囲に装飾部材、ガラス枠が設けられる。前面枠の下部には賞球の受け皿や発射装置を起動するハンドルなどが設けられている。
【０００４】
ガラス枠は、矩形状の枠構造体（樹脂枠体）に遊技盤を透視する窓形状に合わせて２枚の透明板（複層ガラス、合成樹脂板、これらの組み合わせ）が重ね合わされて、ビス止め、フック、板金レールなどにより保持されている（特許文献１参照）。この枠構造体は、遊技領域の拡大により大型化しており、強度保持及び防犯観点からの樹脂枠体の裏面側には４辺に沿って板金が当てられている（特許文献２、図２乃至図４参照）。これらの板金は樹脂枠体の側面やガラス枠と受け皿との隙間から異物が挿入されたり、樹脂枠体に熱を加えて孔が容易に開けられたりする不正行為を防いでいる。
【特許文献１】特開２００６−２６３１９４号公報
【特許文献２】特開２００６−２２３５２２号公報
【発明の開示】
【発明が解決しようとする課題】
【０００５】
上述したように遊技機の前面枠のうちガラス枠の大きさは、遊技領域の拡大に伴って大型化しており、枠構造体の側辺の長さが長くなったことから撓みが発生し易く、くぎ抜きなどの工具を使用することで隙間が容易に作れるようになっている。
また、枠構造体の窓に設けられる透明板は複層ガラスが用いられるため重量が嵩み、樹脂枠体の裏面側に強度保持及び防犯のために設けられる板金も重量を増大させ、組み付け工数も増える。
また、ガラス枠の大型化により遊技領域の視認性を保つため前面枠における受け皿の設置位置を下方に設置する必要がある。しかしながら、受け皿位置を下げると遊技機間に設けられる球貸機のノズルとの落差が拡大して受け皿から球が飛び出るおそれがある。また、下受け皿が設けられる場合には、上下の受け皿間の間隔が狭まるため下受け皿から貯留球を取り出し難くなる。さらには、上受け皿には、球貸し／返却ボタンや演出ボタンなどを備えているため操作性も悪くなる。
また、遊技機の遊技盤や制御基板を変更してモデルチェンジを図ることが頻繁に行なわれているが遊技機全体を刷新するためコストがかかり作業に手間取る。また、遊技盤にあわせてガラス枠の周囲の装飾体のデザイン変更を安価に随時行いたいというニーズもある。
【０００６】
本発明は、このような事情に鑑みてなされたもので、遊技機の前面枠の構造を簡素化しつつ十分な不正防止と強度を確保でき、しかもデザイン変更を安価に行なえる遊技機を提供することにある。
【課題を解決するための手段】
【０００７】
本発明は上記目的を達成するため、次の構成を備える。
遊技盤を支持する内枠の前面を覆う前面枠がヒンジ機構によって開閉可能に設けられた遊技機であって、前記前面枠は、遊技盤前面側を覆う板部を有する透光性のベース枠体と、前記ベース枠体に脱着可能に取り付けられ、遊技盤領域を視認できるように窓枠を構成する前側装飾体を備え、前記ベース枠体の板部前面側に当該ベース枠体の幅外形と同等の幅外形を有する矩形状のガラス板が固着されていることを特徴とする。
また、前記前側装飾体の下端側には、前記ベース枠体に一体的に受け皿ユニットが備えられており、前記前側装飾体と前記受け皿ユニットとの隙間を塞ぐように前記ガラス板がベース枠体に固着されていることを特徴とする。
また、前記窓枠の一部を、前記受け皿ユニットで構成していることを特徴とする。
また、前記ベース枠体には前面枠と内枠との隙間を覆う壁部が一体に形成されていることを特徴とする。
また、前記前面枠と内枠を施錠する施錠装置の鍵穴がガラス板の上縁部より上方に設けられていることを特徴とする。
また、前記ベース枠体には遊技盤に突き当てて遊技領域を決める壁部と発射装置より発射された遊技球を遊技領域へ導くレール部が一体に形成されていることを特徴とする。
また、前記ベース枠体には、当該ベース枠体及びガラス板を透過して前方へ向けて光照射し、又はベース枠体の板部に沿って光照射する発光基板が設けられていることを特徴とする。
また、前記ベース枠体には、スピーカが設けられていることを特徴とする。
【発明の効果】
【０００８】
上述した遊技機を用いれば、ベース枠体の板部前面側に当該ベース枠体の幅外形と同等の幅外形を有する矩形状のガラス板が固着されているので、前面枠の部品点数が減って軽量化しても強度を向上することができる。また、前面枠が大型化してもガラス板が固着されているため側辺部の撓みはなく、ガラス板とベース枠体の隙間から異物を挿入し難くなる。また、熱により前側装飾体に孔が開けられてもガラス板に容易に孔を開けることはできず、ガラス板は無理な力が加わると割れるため不正行為を視覚的にとらえ易くなる。このように、遊技機の遊技領域が拡大しても不正防止を強化することができる。
また、前側装飾体の下端側には、ベース枠体に一体的に受け皿ユニットが備えられており、前側装飾体と受け皿ユニットとの隙間を塞ぐようにガラス板がベース枠体に固着されていると、ガラス板が前側装飾体と受け皿ユニットとの隙間を塞ぐので板金などを別途設ける必要がなくなる。
更には窓枠の一部を受け皿ユニットで構成すると、遊技領域が拡大しても受け皿の位置を下げる必要がなく、遊技者の操作性、利便性が損なわれることはない。
また、ベース枠体には前面枠と内枠との隙間を覆う壁部が一体に形成されていると、前面枠と内枠との隙間に異物を差し込み難くなるため、不正防止を強化できる。
また、前面枠と内枠を施錠する施錠装置の鍵穴がガラス板の上縁部より上方に設けられていると、遊技者が座っていたとしても周囲から鍵穴部が良く見え、店員が監視し易い位置にあるので、施錠装置への不正行為が発見し易くなるため、不正行為が行ない難くなる。
【０００９】
また、ベース枠体には遊技盤に突き当てて遊技領域を決める壁部と発射装置より発射された遊技球を遊技領域へ導くレール部が一体に形成されているので、遊技盤に対して金属レールを設ける場合に比べて位置決めが容易で組み付け易く、部品点数も減るため装置コストが低減する。
また、ベース枠体には、当該ベース枠体及びガラス板を透過して前方へ向けて光照射し、又はベース枠体の板部に沿って光照射する発光基板が設けられていると、ガラス板が固着されたベース枠体を共通部品として使用し、前側装飾体を交換するだけでデザイン変更を随時安価に行なえる。
【発明を実施するための最良の形態】
【００１０】
以下、本発明に係る遊技機の実施形態について図面を参照しながら具体的に説明する。
[第１実施例]
図１においてぱちんこ遊技機の概略構成について説明する。遊技機は、矩形状の外枠１（図２参照）にヒンジ機構２によって前面側に開閉可能に設けられる内枠３（図２参照）と、当該ヒンジ機構２によって内枠３に開閉可能に設けられる前面枠４を備えている。
内枠３には遊技盤５が支持されている。遊技盤５の盤面には図示しない可変表示装置やその他始動入賞口、通過ゲート、風車、アタッカー、チャッカー、アウトロなどの盤面部品が装着されている。
【００１１】
図２において、前面枠４には遊技盤前面側を覆う窓板部６を有する透光性のベース枠体７が設けられている。ベース枠体７の窓板部６の前面側には、当該ベース枠体７の幅外形と同等の幅外形（図１破線部参照）を有する矩形状のガラス板８が固着されている。ベース枠体７には前側装飾体９が遊技盤領域を視認できるように脱着可能に取り付けられる。上記ベース枠体７の窓板部６の前面側にガラス板８が固着されているので、前面枠４の部品点数が減って軽量化しても強度を向上することができる。また、前面枠４が大型化しても側辺部の撓みはなく、ガラス板８とベース枠体７の隙間から異物を挿入し難くなる。また、熱により前側装飾体９に孔が開けられてもガラス板８に容易に孔を開けることはできず、ガラス板８は無理な力が加わると割れるため不正行為を視覚的にとらえ易くなる。このように、遊技領域が拡大しても不正防止を強化することができる。
【００１２】
図１において、ベース枠体７には遊技球を遊技盤５に向かって発射する発射装置１０や該発射装置１０を起動するハンドル１１、遊技球を一時的に貯留し賞球が払い出される上受け皿１２ａ、下受け皿１２ｂなどが設けられている。上受け皿１２ａに遊技球が供給されると、図示しない整流器を通じて発射装置１０へ導かれる。そして、発射球ストッパ１３とレール部１４にセットされた遊技球Ｂが図示しない発射ソレノイドにより作動するハンマー１５を時計回り方向（矢印方向）に回転させることで遊技球Ｋに打ち当ててレール部１４に沿って遊技領域へ打ち込まれる。
【００１３】
図２において、ベース枠体７には前面枠４と内枠３との隙間を覆う壁部１６が一体に形成されている。また、図１において、ベース枠体７には遊技盤５に突き当てて遊技領域を規定する壁部１７と該壁部１７に連続して発射装置１０より発射された遊技球を遊技領域へ導くレール部１４が一体に形成されている。また、壁部１７の端部には当該壁部１７とレール部１４との間でガイドされて打ち込まれる遊技球Ｋの逆戻りを防ぐ球戻り防止部１７ａが一体に形成されていても良い。このようにベース枠体７にレール部１４や壁部１７などが一体に設けられていると、遊技盤５に対して金属レールを設ける場合に比べて位置決めが容易で組み付け易く、部品点数も減るため装置コストが低減する。
【００１４】
また、図２において、ベース枠体７には、当該ベース枠体７及びガラス板８を透過して前側装飾体９の前方へ向けて光照射するＬＥＤ１８ａが塔載された発光基板（ＬＥＤ基板）１８が設けられている。ベース枠体７は透光性を有する樹脂材（透明樹脂材）により構成され、窓板部６に重ね合わされるガラス板８も透光性を有するため前側装飾体９を光らせて遊技者に外観の変化を楽しませることができる。
【００１５】
尚、発光基板１８のＬＥＤ１８ａは、図３においてベース枠体７の窓板部６に沿って光照射するように設けられていても良い。この場合にも発光基板１８に対向するベース枠体７に図示しないリフレクタなどを設けることで、遊技盤５への光照射に変化をつけて装飾効果を高めることができる。このようにガラス板８が固着されたベース枠体７を共通部品として使用し、前側装飾体９のみを交換するだけで、デザイン変更を随時安価に行なえる。
【００１６】
また、図４においてベース枠体７にはスピーカ１９が設けられている。図１においてスピーカ１９はガラス板８の上縁部近傍に前側装飾体９の前面に向けて設けられている。
また、図１において前面枠４と内枠３を施錠するシリンダー錠２０の鍵穴部２１がガラス板８の上縁部より上方で前側装飾体９より前面に露出して設けられている。遊技者が座っていたとしても周囲から鍵穴部２１が良く見え、店員が監視し易い位置にあるので、施錠装置への不正行為が発見し易くなるため、不正行為が行ない難くなる。
【００１７】
図２において、内枠３の開放端側裏面には外枠１の縦枠部に沿ってスライド錠２２が設けられている。スライド錠２２は、内枠３が外枠１に嵌め込まれると施錠し、内枠３の前面側に設けられたシリンダー錠２０を所定方向へ回転させると開錠する。鍵穴部２１に図示しない鍵を差し込み、シリンダー錠２０を一方向へ回転することにより内枠３が開錠され、また、他方向へ回転することにより前面枠４が開錠されるようになっている。ベース枠体７にはスライド部材２２のフック２２ａ部を係止する鉤受け金具（図示せず）が設けられる。
【００１８】
[第２実施例]
次に、遊技機の他例について図５乃至図８を参照して説明する。尚、第１実施例と同一の部材には同一番号を付して説明を援用するものとする。
本実施例は、図５の破線で示すように遊技機の遊技領域の拡大にともなってガラス板８の下辺側のサイズを上受け皿ユニットＵの設置領域まで拡大したものである。
図６は図５の矢印Ｃ−Ｃ方向の部分断面図である。図６において、前側装飾体９の下端側には、上受け皿ユニットＵが設けられている。上受け皿ユニットＵは、取付け板部３４ａとその前面側に受け皿部３４ｂを一体に備えている。ベース枠体７の窓板部６の周縁部にはベース板部７ａが形成されている。上受け皿ユニットＵは、ガラス板８の前面側に取付け板部３４ａが当接して一体に組み付けられる。ガラス板８は前側装飾体９と上受け皿ユニットＵ（取付け板部３４ａ）の隙間を塞ぐようにベース板部７ａに固着されている。このように、ガラス板８が前側装飾体９と上受け皿ユニットＵの隙間を塞ぐので板金などを別途設ける必要がなくなる。
【００１９】
また、図５において、前側装飾体９に囲まれて形成される窓枠２３の下端部には、上受け皿１２ａが重なり合うように設けられている。図６において、ガラス板８が固着されるベース板部７ａの裏面側のスペースに表示装置３３などを設けることができる。このように窓枠２３の一部を上受け皿ユニットＵ（本実施例では取付け板部３４ａ及び受け皿部３４ｂ）で構成すると、遊技領域が拡大しても上受け皿ユニットＵの位置を下げる必要がないので遊技者の操作性、利便性が損なわれることはない。尚、本実施例では上受け皿ユニットＵと下受け皿ユニットＵ１（取付け板部３５ａ、受け皿部３５ｂ、灰皿部３５ｃ、ハンドル１１）は別体であるが一体に構成されていてもよい(図５参照)。
【００２０】
図７は、前面枠４の組立構成の一例を示す分解斜視図である。ベース枠体７の裏面側左側部には発光基板１８が前方に向けて組み付けられる。またベース枠体７の前面側上側部にはスピーカ１９が組み付けられる。ベース枠体７の窓板部６にはガラス板８が重ね合わされ、前面側より遊技領域を視認する窓孔２４や鍵挿入孔２５が設けられた前側装飾体９がベース枠体７に組み付けられる。ベース枠体７の四隅近傍には係止孔２６が設けられている。前側装飾体９の対向面には係止フック２７が突設されている。ガラス板８が固着されたベース枠体７の係止孔２６に係止フック２７を挿通して前側装飾体９が一体となって組み付けられる。尚、前側装飾体９は、一体物であっても、個々の装飾体が個別に組み付けられるようになっていてもいずれでも良い。
【００２１】
図８は施錠装置の部分断面図を示す。前面枠４と内枠３を施錠するシリンダー錠２０がガラス板８の上縁部より上方に設けられている。シリンダー錠２０はベース部材２８に設けられている。また、シリンダー錠２０はベース枠体７を挿通して前側装飾体９に形成された鍵挿入孔２５より鍵穴部２１が前方に露出するようになっている。
【００２２】
シリンダー錠２０は、カム２９によってスライド部材３０と連繋している。スライド部材３０にはフック部３１が設けられ、外枠２の内壁面には鉤受け金具３２が設けられている。スライド部材２９はフック部３１と鉤受け金具３２が係合する位置へ付勢されている。シリンダー錠２０を所定方向に回すとスライド部材２９がスライドしてフック部３１と鉤受け金具３２の係合が解除され、内枠３を外枠１から開放することができる。また、内枠３を外枠１に嵌め込む際に、フック部３１が鉤受け金具３２と係合するようになっている。また、シリンダー錠２０を反対方向に回すと、同様にスライド部材２２の係止フック２２ａとベース枠体７の鉤受け金具の係止が解除され（図２参照）、前面枠４を内枠３より開放することができる。また前面枠４を内枠３に嵌め込む際に、フック部２２ａ（図２参照）が鉤受け金具と係合するようになっている。
【００２３】
なお、本発明では遊技機の一例としてぱちんこ遊技機について説明したが、他に例えばアレンジボール機、パチスロ機、雀球機等の遊技盤を覆う前面枠を有する他の遊技機にも適用できる。
【図面の簡単な説明】
【００２４】
【図１】第１実施例に係るぱちんこ遊技機の正面図である。
【図２】図１の矢印Ａ−Ａ断面図である。
【図３】図２の他例に係る発光基板の部分断面図である。
【図４】図１の矢印Ｂ−Ｂ断面図である。
【図５】第２実施例に係るぱちんこ遊技機の正面図である。
【図６】図５の矢印Ｃ−Ｃ断面図である。
【図７】前面枠の分解斜視図である。
【図８】施錠装置の部分断面図である。
【符号の説明】
【００２５】
Ｕ  上受け皿ユニット
Ｕ１  下受け皿ユニット
１  外枠
２  ヒンジ機構
３  内枠
４  前面枠
５  遊技盤
６  窓板部
７  ベース枠体
７ａ  ベース板部
８  ガラス板
９  前側装飾体
１０  発射装置
１１  ハンドル
１２ａ  上受け皿
１２ｂ  下受け皿
１３  発射球ストッパ
１４  レール部
１５  ハンマー
１６、１７  壁部
１７ａ  球戻り防止部
１８  発光基板
１９  スピーカ
２０  シリンダー錠
２１  鍵穴部
２２  スライド部材
２２ａ、３１  フック部
２３  窓枠
２４  窓孔
２５  鍵挿入孔
２６  係止孔
２７  係止フック
２８  ベース部材
２９  カム
３０  スライド部材
３２  鉤受け金具
３３  表示装置
３４ａ、３５ａ  取付け板部
３４ｂ、３５ｂ  受け皿部
３５ｃ  灰皿部
【図１】
2008154926.tif 000003
【図２】
2008154926.tif 000004
【図３】
2008154926.tif 000005
【図４】
2008154926.tif 000006
【図５】
2008154926.tif 000007
【図６】
2008154926.tif 000008
【図７】
2008154926.tif 000009
【図８】
2008154926.tif 000010